(57)【要約】【課題】本発明は、観測衛星からのマイクロ波を透過させることができ、さらに、観測衛星からのマイクロ波を観測衛星用ターゲットで確実に反射させることにより、正確かつ確実に自動観測させることができる観測衛星用ターゲットの防護ケースを提供する。【解決手段】観測衛星用ターゲットを収納するための防護ケースであって、該防護ケースが、前記防護ケース部と、該防護ケース部を支える脚部とから構成され、また、前記防護ケース部が、前記観測用ターゲットを載置する台座部と、該台座部の左右それぞれの側面を天井まで覆って屋根を形成する平部と、前記台座部の前後面をそれぞれ覆う妻部と、を少なくとも備え、かつ、前記平部及び前記妻部がマイクロ波を透過し易い材料で構成されたことを特徴とする観測衛星用ターゲットの防護ケース。【選択図】図１
2018164192.tif 000002
【特許請求の範囲】
【請求項１】
観測衛星用ターゲットを収納するための防護ケースであって、該防護ケースが、前記防護ケース部と、該防護ケース部を支える脚部とから構成され、また、前記防護ケース部が、前記観測用ターゲットを載置する台座部と、該台座部の左右それぞれの側面を天井まで覆って屋根を形成する平部と、前記台座部の前後面をそれぞれ覆う妻部と、を少なくとも備え、かつ、前記平部及び前記妻部がマイクロ波を透過し易い材料で構成されたことを特徴とする観測衛星用ターゲットの防護ケース。
【請求項２】
前記左右の平部が、マイクロ波が透過可能な合成樹脂をコーティングした布製であることを特徴とする請求項１に記載の観測衛星用ターゲットの防護ケース。
【請求項３】
前記平部が、上部が平面で下部が曲面で構成され、該曲面が、上部が内側に引っ込んで、下部が外側に出っ張った２つの曲率を有する曲面をしており、かつ、該平面及び該曲面のいずれの接線も水平面とのなす角度が４０度以上であることを特徴とする請求項２に記載の観測衛星用ターゲットの防護ケース。
【請求項４】
前記左右の平部の最頂部に雪割板を設けたことを特徴とする請求項１又は２又は３に記載の観測衛星用ターゲットの防護ケース。
【請求項５】
前記妻部が、透明な合成樹脂製であることを特徴とする請求項１から４のいずれかに記載の観測衛星用ターゲットの防護ケース。
【請求項６】
前記台座部に、前記観測衛星用ターゲットを所定の角度に指向させて固定する角度調整機構を備えたことを特徴とする請求項１から５のいずれかに記載の観測衛星用ターゲットの防護ケース。
【請求項７】
前記脚部に自穿孔アンカーロッドを用いたことを特徴とする請求項１から６のいずれかに記載の観測衛星用ターゲットの防護ケース。
【請求項８】
前記自穿孔アンカーロッドと台座部との間に、ジョイント金具及び継ぎ足しアンカーロッドを加えたことを特徴とする請求項７に記載の観測衛星用ターゲットの防護ケース。
【発明の詳細な説明】
【技術分野】
【０００１】
本発明は、観測衛星用ターゲットを鉄道や道路等に近接した法面に設置することにより、観測衛星からのマイクロ波を、長期間、確実に反射させて観測させるためのもので、雪や落ち葉を積もらせず、また、小動物や害虫等の侵入から観測用ターゲットを守る防護ケースに関するものである。
【背景技術】
【０００２】
従来、鉄道や道路に近接する法面の崩壊によって、鉄道や道路が被災することがしばしばあった。その法面崩壊を予知するため、人工衛星を用いた法面の観測が行われており、例えば、ＧＰＳを用いて法面にＧＰＳ用の受信機を設置して、法面の変化の観測が行われている。ＧＰＳによる観測は、高精度に計測できるというメリットがあるが、ＧＰＳを受信するためには電源が必要であり、バッテリーを使用すれば、頻繁にバッテリーを交換する必要に迫られ、その交換作業の安全性やその人件費が掛かるという問題があった。また、それを防ぐために自動計測を行うならば、急峻な法面に電線を引く必要があり、設置費用や手間が掛かると共に、配線した電気ケーブルも維持管理しなければならないという問題があった。
【０００３】
近年、地域観測、災害状況把握等を観測するために地球観測衛星が利用されている。観測衛星を用いた観測方法は、観測衛星から照射したマイクロ波の反射波を観測衛星が受信して観測している。マイクロ波は、光学による測定と違い、雲や噴煙があっても影響されず地表を観測できるので大変便利である。また、同じ場所を２回以上観測してデータの変化を解析する所謂「インターフェロメトリ」という手法によって、地形等の変化等を詳細に観測することができる。よって、法面を適宜計測することによって、法面の変化を観測し、土砂災害等を未然に防ぐことに役立たせることができる。
【０００４】
しかも、観測衛星による観測は、観測される法面側に電源の必要がなく、電気ケーブルの設置及び維持管理が不要であるので好適である。例えば、観測地点にビームを照射して、その反射ビームを観測する観測衛星を用いた観測方法が先行技術として開示されている（参考文献１）。
【先行技術文献】
【特許文献】
【０００５】
【特許文献１】特開平８−１０５９５３号公報
【０００６】
しかし、観測衛星で直接地表面を計測した場合、測定精度のばらつきが大きいという問題があった。そこで対策として、マイクロ波を効率よく反射させることができる金属製の反射板（観測衛星用ターゲット）を法面上に設置して、その観測衛星用ターゲットを測定することによって、法面の変化を観測する方法が用いられてきている。
【発明の概要】
【発明が解決しようとする課題】
【０００７】
観測衛星用ターゲットを用いれば精度よく観測することができるが、法面上に設置された観測衛星用ターゲットを長期間観測する場合には、落ち葉や虫等、また、降雪がある地方では、積雪によって、観測衛星用ターゲットが埋没してしまい、観測衛星から照射されたマイクロ波を正確に反射できなくなって、ターゲットの位置を正確に観測できない不具合があるという問題があった。  
【０００８】
本発明は、これらの問題を解決したものであって、観測衛星からのマイクロ波を透過させることができると共に、防護ケースの屋根には雪や落ち葉が積もらずに、また、小動物や害虫等が防護ケース内に侵入をさせなくして、観測衛星からのマイクロ波を観測衛星用ターゲットで確実に反射させることによって、正確かつ確実に自動観測させることができる観測衛星用ターゲットの防護ケースを提供するものである。
【課題を解決するための手段】
【０００９】
本発明の請求項１に係る観測衛星用ターゲットの防護ケースは、観測衛星用ターゲットを収納するための防護ケースであって、該防護ケースが、前記防護ケース部と、該防護ケース部を支える脚部とから構成され、また、前記防護ケース部が、前記観測用ターゲットを載置する台座部と、該台座部の左右それぞれの側面を天井まで覆って屋根を形成する平部と、前記台座部の前後面をそれぞれ覆う妻部と、を少なくとも備え、かつ、前記平部及び前記妻部がマイクロ波を透過し易い材料で構成されたことを特徴とする。
【００１０】
請求項２に係る観測衛星用ターゲットの防護ケースは、請求項１に記載の観測衛星用ターゲットの防護ケースにおいて、前記左右の平部が、マイクロ波が透過可能な合成樹脂をコーティングした布製であることを特徴とする。
【００１１】
請求項３に係る観測衛星用ターゲットの防護ケースは、請求項２に記載の観測衛星用ターゲットの防護ケースにおいて、前記平部が、上部が平面で下部が曲面で構成され、該曲面が、上部が内側に引っ込んで、下部が外側に出っ張った２つの曲率を有する曲面をしており、かつ、該平面及び該曲面のいずれの接線も水平面とのなす角度が４０度以上であることを特徴とする。請求項４に係る観測衛星用ターゲットの防護ケースは、請求項１又は２又は３に記載の観測衛星用ターゲットの防護ケースにおいて、前記左右の平部の最頂部に雪割板を設けたことを特徴とする。
【００１２】
請求項５に係る観測衛星用ターゲットの防護ケースは、請求項１から４のいずれかに記載の観測衛星用ターゲットの防護ケースにおいて、前記妻部が、透明な合成樹脂製であることを特徴とする。また、請求項６に係る観測衛星用ターゲットの防護ケースは、請求項１から５のいずれかに記載の観測衛星用ターゲットの防護ケースにおいて、前記台座部に、前記観測衛星用ターゲットを所定の角度に向かせて固定する角度調整機構を備えたことを特徴とする。また、請求項７に係る観測衛星用ターゲットの防護ケースは、請求項１から６のいずれかに記載の観測衛星用ターゲットの防護ケースにおいて、前記脚部に自穿孔アンカーロッドを用いたことを特徴とする。また、請求項８に係る観測衛星用ターゲットの防護ケースは、請求項７に記載の観測衛星用ターゲットの防護ケースにおいて、前記自穿孔アンカーロッドと台座部との間に、ジョイント金具及び継ぎ足しアンカーロッドを加えたことを特徴とする。
【００１３】
これらの構成を採用することにより本発明に係る観測衛星用ターゲットの防護ケースは、防護ケース部の内部に観測衛星用ターゲットを所定の方向に指向して固定することができる。また、法面上に固定された脚部によって、防護ケース部内の観測衛星用ターゲットの位置を法面の変位に、正確に連動させることができる。また、観測衛星用ターゲットは金属製であるので、マイクロ波を反射し易い。また、観測衛星と観測衛星用ターゲットの中間に位置し、側壁と一体となった屋根である平部と、妻部とは、それぞれ、マイクロ波を透過し易い材料で構成されている。よって、観測衛星から照射されたマイクロ波及び観測衛星用ターゲットによって反射されたマイクロ波は、平部及び妻部によって妨害されないので、観測衛星用ターゲットの位置を正確に観測することができる。なお、台座部及び脚部は、観測衛星と観測衛星用ターゲットと中間に位置しないので、マイクロ波を透過させる必要がないから、非金属製である樹脂製や木製でも、金属製でもどちらでもよい。このように、観測衛星を用いて法面の変位を観測することができるので、法面崩壊を事前に察知することができる。また、観測衛星用ターゲットを複数個用いれば、現場から離れた場所で同時に複数個所を観測することができる。よって、ＧＰＳ測量による観測に比べ人件費を削減することができる。
【００１４】
また、本発明に係る観測衛星用ターゲットの防護ケースは、脚部が高床式になっているので、ねずみ等の小動物や害虫が侵入しにくくなっており、小動物や害虫によるトラブルに巻き込まれない。また、雑草及び積雪等によってもターゲットが埋もれないので、観測衛星で確実にターゲットを観測できる。また、ターゲットは、密閉された防護ケース内に設置されるので、防護ケース内が鳥の巣にされることを防止できる。このように、観測衛星用ターゲットは、マイクロ波の反射を確実に行うことができるので、正確に位置を観測して把握できる。
【００１５】
また、本発明に係る観測衛星用ターゲットの防護ケースは、平部の最頂部に雪割板を設け、また、平部の平面又は曲面のいずれ位置での接線も、水平面とのなす角度を４０度以上にすれば、雪が頂部から割れて、かつ、滑り落ちて、屋根に雪が積もることを防止できる。また、落ち葉についても防護ケースの屋根に積ることなしに滑り落とすことができる。また、平部は、下部の曲面のうち、上部が内側に引っ込んでおり、また、下部が外部に出っ張った形状なので、一つの面が略直角二等辺三角形をした三角錐形状の観測衛星用ターゲットを省スペース的に効率よく収納できる。よって防護ケース全体を小型で軽量化を図ることができるので、運搬が容易で、法面や狭い箇所でも施工を容易にして設置できる。
【００１６】
また、本発明に係る観測衛星用ターゲットの防護ケースは、平部が、マイクロ波が透過する樹脂製の枠組みにテント生地（例えば、ポリエステル基布にポリ塩化ビニルコーティングしたものやグラスファイバー基布にポリテトラフルオロエチレンコートしたもの）で構成されているので、マイクロ波は透過すると共に降雨は浸入しないし、しかも、耐久性が高く長期間の観測に好適である。また、妻部は、透明な合成樹脂製なので、マイクロ波は透過するが、降雨は浸入しない。また、透明な板なので、妻部や平部を外さなくとも、観測衛星用ターゲットの状態を視認できる。よって、法面や崖に本発明に係る観測衛星用ターゲットの防護ケースを設置した場合でも、双眼鏡等を用いて離れた位置から観測衛星用ターゲットの状態を確認することができ、危険な法面に行かずに点検作業を安全にすることができる。また、平部と妻部とは、軽量化が図れるので、設置作業が容易で安全にできる。
【００１７】
また、本発明に係る観測衛星用ターゲットの防護ケースは、自穿孔アンカーロッドを脚部に用いているので、岩盤や砂質土等の様々な地盤に脚部を打ち込んで、防護ケースを地盤の動きに連動させることができる。また、自穿孔ロッドにジョイント金具を使用して、アンカーロッドを継ぎ足すことができる。よって脚部の長さを法面の勾配に合わせて調整することができるので、本発明に係る観測衛星用ターゲットの防護ケースの台座部を略水平に設置しやすい。また、自穿孔アンカーロッドは、Ｈ型鋼や鋼管に比べて軽量であるので法面での運搬や施工が容易である。
【００１８】
また、本発明に係る観測衛星用ターゲットの防護ケースは、台座部に観測衛星用ターゲットの方位角及び仰角を調整できる角度調整機構を設けているので、観測衛星用ターゲットを観測衛星からのマイクロ波を反射させるのに最適な方向に容易に調整して固定できるし、脚部の長さ調整で台座部を略水平とし、角度調整機構で、仰角及び方位角を微調整することができる。
【発明の効果】
【００１９】
本発明に係る請求項１から８に観測衛星用ターゲットの防護ケースを用いれば、脚部の自穿孔アンカーを確実に地盤に打ち込むことができて、観測用ターゲットを法面の変位に連動させることができるので、観測の精度が上がり、法面崩壊等を未然に予知することができる。また、観測衛星からのマイクロ波は確実に透過できるので、誤計測が起こらない。また、降雪や落ち葉を防護ケースに積もることを防止でき、また、小動物、鳥類、虫類の防護ケース内の侵入を防止でき、また、観測衛星用ターゲットが雑草等に埋もれることを防止できるので、観測衛星用ターゲットの観測が邪魔されずに長期に亘り確実に行うことができる。また、複数の箇所に設置することによって、多数の法面を同時に観測することができる。よって、山奥にある道路や線路沿いの法面を、現地に行かずに安全に観測衛星を使って監視することができ、災害防止に役立たせることができる。
【００２０】
また、本発明に係る観測衛星用ターゲットの防護ケースを用いれば、部材がコンパクトで軽量であるので、法面での設置作業が容易であり、また、コンパクトであるので狭いスペースにも設置できる。
【００２１】
また、本発明に係る観測衛星用ターゲットの防護ケースを用いれば、観測衛星用ターゲットの設置方向を簡単に微調整できるので、ターゲットの据付調整が容易で短時間にでき効率よく作業できる。
【図面の簡単な説明】
【００２２】
【図１】本発明の実施するための形態に係る観測衛星用ターゲットの防護ケースの模式的斜視図である。
【図２】本発明の実施するための形態に係る観測衛星用ターゲットの防護ケースの使用状態を示す模式図である。
【図３】本発明の実施するための形態に係る観測衛星用ターゲットの防護ケースの使用状態を示す模式的正面図である。
【図４】観測衛星用ターゲットの模式的斜視図である。
【図５】観測衛星用ターゲットを台座部に設置した状態を示す模式的側面図である。
【図６】観測衛星用ターゲットが台座部上を左右に回動可能であることを示す模式的平面図である。
【図７】図５における角度調整機構の模式的拡大側面図である。
【図８】平部の曲面の形状とその接線を示す模式図である。
【発明を実施するための形態】
【００２３】
図１、図２、図３に示すように、本発明に係る観測衛星用ターゲットの防護ケース１は、観測衛星３０から照射されるマイクロ波（所謂Ｌバンド（０．５〜１．５ＧＨｚ））を反射させて反射波を観測させるための観測衛星用ターゲット２０を内部に設置するためのもので、防護ケース部２と脚部３とから構成されている。また、防護ケース部２は平部５と妻部６と台座部３とを少なくとも備えており、一辺が０．５〜１．５ｍである。なお、図４に示すように、観測衛星用ターゲット２０は、互いに直角方向に位置するように３つの平板から構成され、一つは、底面となる観測衛星用ターゲットプレート２０−２であり、他の２つは、略直角二等辺三角形の形状をした観測衛星用ターゲットウイング２０−１である。また、観測衛星３０から照射されるマイクロ波は、金属製の観測衛星用ターゲット２０の３枚の面の内側全体で反射されて、その反射波を観測衛星で観測する。観測衛星用ターゲット２０の大きさは、一辺が２０〜９０ｃｍである。
【００２４】
防護ケース部２は、観測衛星用ターゲット２０を載置している台座部４と、台座部４の側面を屋根まで覆っている２箇所の平部５と、台座部４の前後面を覆う妻部６とから少なくとも構成されている。
【００２５】
台座部４は、金属製又は、例えば合成樹脂製のような非金属製の板で構成され、剛性を有している。よって、脚部３の変位に連動して台座部４も変位することができる。また、図５、６に示すように、台座部４は、角度調整機構８によって、観測衛星用ターゲット２０のプレート２０−２の下面に設けられたベルワッシャ２０−３を下から支えると共に観測衛星用ターゲット２０を、上下左右、所定の角度内で自在に指向させることができる。よって、本発明に係る観測衛星用ターゲットの防護ケース１を設置する際に厳密に位置決めする必要がなく施工が容易なうえに、角度調整機構８により観測衛星用ターゲット２０を観測衛星３０の軌道上の最適な方向に確実に向けることができる。なお、図７に示すように、角度調整機構８は、ロッド８−１の先端部にコマナット８−２を備えて、台座部４に、２つのロックナット８−３で固定されており、コマナット８−２が、ベルワッシャ２０−３内を所定の角度内で自在に回動可能となっている。また、適切な方向に指向させた観測衛星用ターゲット２０を、観測衛星用ターゲット固定具９で、台座部４に固定させている。
【００２６】
妻部６は、透明な合成樹脂（例えば、ポリカーボネート、アクリル、塩化ビニルなど）製を使用しているので、観測衛星３０からのマイクロ波及びその反射波は透過する。よって、観測衛星用ターゲット２０の観測を阻害しない。また、透明であるので、防護ケース部２の内部を視認することができる。よって、防護ケース部２をそのままにして解体せずに、台座部４に据え付けられた観測衛星用ターゲット２０の状態を確認できる。また、妻部６は、台座部４とＬ字型の樹脂製又は金属製の接合具で固定されており、また、表裏の妻部６を非金属製の桟１０で連結され、また頂部にある樹脂製の雪割板７を固設して支えている。なお、これらの桟１０や雪割板７は、観測衛星３０からのマイクロ波及びその反射波を透過する。
【００２７】
平部５は、マイクロ波をよく透過させるための生地として誘電率の高いポリエステル基布をポリ塩化ビニルコーティングした防水・撥水テント生地を用いるとよい。これにより、観測衛星３０からのマイクロ波及びその反射波は透過するので、観測衛星用ターゲット２０の観測を阻害しない。また、風雨の防護ケース内の侵入を防ぐことができる。また、テント生地は軽量なので、平部５を支える台座部４、妻部６及び脚部３に負担をかけないし、また、法面上での設置作業における運搬や施工が容易である。また、平部５は、上端部を雪割板７で、下端部を台座部４で、また両側面を妻部６で固定し、中間部を桟１０で支えられている。したがって、平部５は、風雪にも耐える強度を有しているし、また、テント生地は耐久性が高いので、長期間、防護ケースを交換せずに観測することができる。また、平部５は、鋭意検討を重ねた結果、下部が外部に出張った曲面で、上部が内部に引っ込んだ曲面の２つの曲面５−ｂが組合わさり、さらにその上部が平面５−ａの形状をしており、その曲面の接線５−５及び平面と水平面とのなす角α５−６は、いずれの位置においても４０度以上の勾配となっているので、本発明に係る観測衛星用ターゲットの防護ケース１の平部５は、降雪を、平部５に積もらずに平部５から滑り落とすことができると共に、観測衛星用ターゲット２０を省スペースに効率よく収納させることができる。また、同様に鋭意検討した結果、落ち葉も曲面の接線と水平面とのなす角α５−６が４０度以上であれば、平部５から、滑り落とすことができる。また、雪割板７は、積雪を板７で左右に分割させて、平部５を滑り落とすことができる。このように、積雪や落ち葉等が防護ケース部２に積もらないので、観測衛星３０からのマイクロ波が、ターゲット２０で確実に反射され、正確に観測することができると共に、積雪等の重みによって、防護ケース部２が倒壊することを防止できる。
【００２８】
また、図１、図３に示すように、脚部３は、自穿孔アンカーを用いており、脚部３の支柱部はアンカーロッド３−３を、また、先端部に地盤を穿孔するためのビット３−１を先端部に備えている。また、場合によっては、継手３−２を備え、アンカーロッド３−３を追加させている。自穿孔アンカーを用いているので、掘削と脚部３の設置の施工時間を短縮できるし、グラウトを注入して法面の地山とアンカーロッド３−３及びビット３−１とを固着させて一体とすることがよくできるので、本発明に係る観測衛星用ターゲットの防護ケース１を法面の動きに連動させることができ、観測衛星３０の観測データを法面崩壊の予知に役立たせることができる。なお、脚部３は、金属製であるが、観測衛星３０と観測衛星用ターゲット２０との間に位置していないので、観測の妨害をしない。また、アンカーロッド３−３は、Ｈ鋼や鋼管より軽量で施工がし易い。また、脚部３によって、本発明に係る観測衛星用ターゲットの防護ケース１は高床式になるので、ねずみ等の小動物や害虫の侵入を防ぎ、観測衛星用ターゲット２０が、雑草に埋もれることもない。
【００２９】
次に、本発明に係る観測衛星用ターゲットの防護ケース１の使用方法の一例を説明する。まず、人が観測し難い山奥の線路の脇で、崩れれば甚大な被害が出そうな法面に、本発明に係る観測衛星用ターゲットの防護ケース１を設置する。設置する方法は、観測衛星用ターゲット２０を設置する所定の位置にアンカーロッド３−３の先端にビット３−１を取付けて表土の厚み分の深さを穿孔し、グラウトを注入して地山に固設する。その際に、脚部３の４本の足の上端の高さが略水平になるように、継手３−２と最適な長さのアンカーロッド３−３を追加する。そして、脚部３に角度調整機構８が付いた台座部４を載せてボルトで固定し、角度調整機構８のコマナット  ８−２の先端に観測衛星用ターゲット２０を載せて所定の方向に向け、観測衛星用ターゲット固定具９を用いて、観測衛星用ターゲット２０を固定する。そして、前後の妻部６を台座部４にＬ字型の樹脂製接合具を用いてボルトで固定して、前後の両妻部６間に雪割板と片側につき１本以上の桟１０を、ボルトで固定する。そして、両側の平部５を雪割板７と台座部４と妻部６とに固定して設置完了する。なお、脚部３は、脚の数が４本でなくても、３本でも２本でも１本でもよい。
【００３０】
本発明に係る観測衛星用ターゲットの防護ケース１を用いれば、観測衛星３０と観測衛星用ターゲット２０との中間に位置する平部５、妻部６、雪割板７、桟１０は、マイクロ波を透過させるので、観測衛星３０からのマイクロ波を観測衛星用ターゲットで正確かつ確実に反射させて、正確にターゲット２０の２枚のウイング２０−１とプレート２０−２とに囲われた位置を正確に観測させることができる。また、雪や落ち葉が防護ケース部２に積もらないので、マイクロ波の透過を阻害されない。また、観測衛星用ターゲット２０が、防護ケース部２によって隙間なく覆われているので、風雨によって劣化しないし、鳥の巣にされることもない。
【００３１】
また、本発明に係る観測衛星用ターゲットの防護ケース１は、脚部３が高床式になっているので、雑草等に埋没することがなく、確実にマイクロ波を反射できるし、小動物や害虫からの侵入を防ぐことができる。また、見回りの際も、高床式で目立つので、山林の中でも容易に観測衛星用ターゲット２０を見つけ出すことができる。
【００３２】
また、妻部が透明な樹脂製なので、防護ケース部２を解体せずに、観測衛星用ターゲット２０の目視による点検ができる。
【００３３】
本発明に係る観測衛星用ターゲットの防護ケース１を用いれば、観測衛星用ターゲット２０を長期間安定してマイクロ波を反射させることができるので、人が頻繁に点検に行けないような山奥の線路沿いの法面や道路沿いの法面やその他同じような構成の法面の監視に役立つ。
【産業上の利用可能性】
【００３４】
観測衛星で地表を観測する分野で広く利用することができる。
【符号の説明】
【００３５】
１：観測衛星用ターゲットの防護ケース
２：防護ケース部
３：脚部
３−１：ビット            ３−２：継手          ３−３：アンカーロッド
４：台座部 
５：平部                  ５−ａ：平面部        ５−ｂ：曲面部
５−１：円中心１          ５−２：円中心２      ５−３：半径１          ５−４：半径２            ５−５：接線          ５−６：角度α
６：妻部
７：雪割板
８：角度調整機構
８−１：ロッド                  ８−２：コマナット      
８−３ロックナット              
９：観測衛星用ターゲット固定具
１０：桟
２０：観測衛星用ターゲット
２０−１：観測衛星用ターゲットウイング
２０−２：観測衛星用ターゲットプレート
２０−３：ベルワッシャ
３０：観測衛星
４０：法面
【図１】
2018164192.tif 000003
【図２】
2018164192.tif 000004
【図３】
2018164192.tif 000005
【図４】
2018164192.tif 000006
【図５】
2018164192.tif 000007
【図６】
2018164192.tif 000008
【図７】
2018164192.tif 000009
【図８】
2018164192.tif 000010